(57)【特許請求の範囲】
【請求項１】
受金部を有し、この受金部の厚さと同等以上の厚さをもち、前記受金部に並設されかつ前記受金部の前方に突出した端子部を有し、前記受金部および前記端子部の並び方向の両側に溝形成されたスリット部を有するソケット本体と、
このソケット本体の前記スリット部をスライド係止して前記受金部を外部に露出し前記端子部の電線接続部を内部に配置させる器具本体とを備え、
前記端子部は前記受金部の前面側に前記端子部の突出による前面段差部を設けるとともに前記受金部の後面側に前記端子部の後退による後面段差部を設け、前記前面段差部が前記器具本体の内部に配置され、前記後面段差部が前記器具本体より露出し、
前記端子部の前記受金部と反対側の端面から前記前面段差部までの距離よりも前記端面から前記後面段差部までの距離が大きい照明器具。
【請求項２】
前記受金部はプランジャ型である請求項１記載の照明器具。
【請求項３】
前記受金部は回転式である請求項１記載の照明器具。
【発明の詳細な説明】
【０００１】
【発明の属する技術分野】
この発明は、直管形蛍光ランプを使った照明器具に関するものである。
【０００２】
【従来の技術】
従来例を図１７ないし図２２により説明する。図１７から図２１は２灯用のインバータ式のプランジャ型の複合ソケットを有する照明器具である。すなわち、この照明器具は、プランジャ型の受金部１００を有し、この受金部１００よりも厚く、受金部１００に並設されかつ受金部１００の前方に突出したボックス形の端子部１０１を有し、受金部１００および端子部１０１の並び方向の両側に溝形成されたスリット部１０２を有するソケット本体１０３と、このソケット本体１０３のスリット部１０２をスライド係止して受金部１００が外部に露出し端子部１０１の電線接続部１０７を内部に配置させる器具本体１０４とを備えている。１０５は反射板、１０６はプランジャ、１０８は蛍光ランプである。
【０００３】
図２２は１灯用のプランジャ型ソケットを示しているが、上記と同構成を有するので同じ個所に同一符号を付している。
【０００４】
【発明が解決しようとする課題】
しかし、図１７（ｂ）に示すように、ボックス形の端子部１０１が受金部１００の前方に突出しているため、複数個ｎを重ねたときに厚さ寸法ｂとして、図１９に示すようにｂ×ｎの長さを必要とし、包装時に入り数が少なくなり、保管時スペースが大きくなる。
【０００５】
また図２１に示すように端子部１０１が器具本体１０４より蛍光ランプ１０８側に露出しているため、端子部１０１が直接蛍光ランプ１０８の発熱を受けている。
【０００６】
したがって、この発明の目的は、端子部の必要な寸法を変えることなく包装時に入り数を多くでき保管時のスペースを削減することができる照明器具を提供することである。
【０００７】
【課題を解決するための手段】
請求項１記載の照明器具は、受金部を有し、この受金部の厚さと同等以上の厚さをもち、前記受金部に並設されかつ前記受金部の前方に突出した端子部を有し、前記受金部および前記端子部の並び方向の両側に溝形成されたスリット部を有するソケット本体と、
このソケット本体の前記スリット部をスライド係止して前記受金部を外部に露出し前記端子部の電線接続部を内部に配置させる器具本体とを備え、
前記端子部は前記受金部の前面側に前記端子部の突出による前面段差部を設けるとともに前記受金部の後面側に前記端子部の後退による後面段差部を設け、前記前面段差部が前記器具本体の内部に配置され、前記後面段差部が前記器具本体より露出し、
前記端子部の前記受金部と反対側の端面から前記前面段差部までの距離よりも前記端面から前記後面段差部までの距離が大きいものである。
【０００８】
請求項１記載の照明器具によれば、端子部が受金部に対して同等以上の厚さを有して前方に突出しているため、端子部の必要な寸法を変えずに、包装時に入り数が多くなり、このため保管時スペースを削減できる。受金部の前面側および後面側に段差を設けたことで、ソケットの配列や位置決めがスムースに行なえ、また端子部の必要な寸法を変えずに段差部分だけ材料削減が可能となる。さらに端子部の必要な寸法を変えずに、端子部の器具本体より露出している面積を小さくして、光源からの発熱を反射板で覆う面積を大きくでき、端子部の温度上昇を防止できる。
【００１３】
請求項２記載の照明器具は、請求項１において、前記受金部をプランジャ型としたものである。
【００１４】
請求項２記載の照明器具によれば、請求項１と同様な効果のほか、受金部のプランジャ部の弾性変形により梱包輸送時等の揺れや衝撃を吸収することでより製品配列の崩れを防止できる。
【００１５】
請求項３記載の照明器具は、請求項１において、前記受金部を回転式としたものである。
【００１６】
請求項３記載の照明器具によれば、請求項１と同様な効果がある。
【００１９】
【発明の実施の形態】
この発明の第１の実施の形態を図１から図５により説明する。すなわち、この照明器具は、２灯用の回転式の複合ソケットを有する照明器具であり、ソケット本体１と、器具本体２とを有する。
【００２０】
ソケット本体１は、受金部３を有し、この受金部３の厚さｄと同等以上の厚さｃ（ｃ≧ｄ）を有し、受金部３に並設されかつ受金部３の前方に突出した端子部４を有し、受金部３および端子部４の並び方向の両側に溝形成されたスリット部５を有する。実施の形態では、端子部４は受金部３の前面側に前面段差部９を設け、受金部３の後面側に後面段差部１０を設け、また端子部４の受金部３と反対側の端面１１から前面段差部９までの距離（高さ）Ａよりも端面１１から後面段差部１０までの距離（高さ）Ｂ（Ｂ＞Ａ）を大きくしている。端子部４はボックス形であり電線接続部８は速結型である。受金部３は回転式であるためロータ７を前面に設けている。また銅鉄型ソケットであるため、ソケット本体１の一対の受金部３の間にグロースタータソケット６を設けている。なお、ａは受金部３の背面から前面側の前面段差部９に隣接する前面までの寸法、ｂはソケット本体１の最大厚すなわち受金部３の背面から前面段差部９を含めた端子部４の前面までの厚さ方向の寸法である。
【００２１】
器具本体２は、ソケット本体１のスリット部５をスライド係止して受金部３を外部に露出し端子部４の電線接続部８を内部に配置させる。ソケット本体１の前面段差部９が器具本体２の内部に配置され、後面段差部１０が器具本体２より露出している。後面段差部１０により器具取付時に器具取付けが固定される。とくに例えば器具本体２にソケット取付部として切欠を設け、切欠の両側縁をスリット部５に係合して支持するとともに切欠の底縁を後面段差部１０に係止させると、より安定にソケット本体１を支持でき蛍光ランプ１３の着脱に伴ってソケット本体１に力が加わっても後面段差部１０が切欠の底縁に係止することにより受けることができる。１２は反射板、１３は受金部３に装着された蛍光ランプ、１４はグロースタータソケット６に装着されたグロースタータである。
【００２２】
第１の実施の形態によれば、端子部の必要な寸法を変えずに、包装時に入り数が多くなり、このため保管時スペースを削減できる。例えばｎ個のランプソケットを重ねたときの全長は図３に示すようにａ×（ｎ−１）＋ｂであり、従来例では図１９のようにｂ×ｎであるから、従来よりも（ｂ−ａ）×（ｎ−１）個のスペース削減となる。
【００２３】
また段差を設けたことで、ソケット本体１の配列や位置決めがスムースに行なえ、また端子部４の必要な寸法を変えずに段差部分だけ材料削減が可能となる。また端子部４の必要な寸法を変えずに、端子部４の器具本体１より露出している面積を小さくして、光源からの発熱を反射板１２で覆う面積を大きくできる。実施の形態では端子部４が蛍光ランプ１３から前面段差部９の段差分だけ離れるため、段差分だけ器具本体１の反射板１２により覆われて蛍光ランプ１３よりの発熱の影響を回避できる。
【００２４】
この発明の第２の実施の形態を図６から図９に示す。すなわち、この照明器具は、１灯の回転式ソケットを用いた照明器具である。第１の実施の形態と比較して複合ソケットではなく単一のソケットである点が相違するほか、その他は第１の実施の形態と同じ構成であるので、同じ個所に同一符号を付して説明を省略している。
【００２５】
この発明の第３の実施の形態を図１０から図１４に示す。すなわち、この照明器具は、２灯のインバータ式のプランジャ型複合ソケットを用いた照明器具である。第１の実施の形態と比較してプランジャ型複合ソケットであり、グロースタータがない点が相違するほか、第１の実施の形態と同じ構成であるので、同じ個所に同一符号を付して説明を省略している。１６はプランジャ部である。
【００２６】
この実施の形態では、複数の複合ソケットを重ねて梱包しても、プランジャ部１６の弾性変形により梱包輸送時等の揺れや衝撃を吸収することで、より製品配列の崩れを防止できる。
【００２７】
この発明の第４の実施の形態を図１５および図１６に示す。すなわち、この照明器具は、１灯のプランジャ型ソケットを用いた照明器具である。第１の実施の形態と比較してプランジャ型ソケットであり、グロースタータがない点が相違するほか、第１の実施の形態と同じ構成であるので、同じ個所に同一符号を付して説明を省略している。
【００３１】
【発明の効果】
請求項１記載の照明器具によれば、端子部が受金部に対して同等以上の厚さを有して前方に突出しているため、端子部の必要な寸法を変えずに、包装時に入り数が多くなり、このため保管時スペースを削減できる。受金部の前面側および後面側に段差を設けたことで、ソケットの配列や位置決めがスムースに行なえ、また端子部の必要な寸法を変えずに段差部分だけ材料削減が可能となる。さらに端子部の必要な寸法を変えずに、端子部の器具本体より露出している面積を小さくして、光源からの発熱を反射板で覆う面積を大きくでき、端子部の温度上昇を防止できる。
【００３４】
請求項２記載の照明器具によれば、請求項１と同様な効果のほか、受金部のプランジャ部の弾性変形により梱包輸送時等の揺れや衝撃を吸収することでより製品配列の崩れを防止できる。
【００３５】
請求項３記載の照明器具によれば、請求項１と同様な効果がある。
【図面の簡単な説明】
【図１】この発明の第１の実施の形態における回転式の複合ソケットを示し、（ａ）は正面図、（ｂ）は右側面図、（ｃ）は平面図である。
【図２】その背面図である。
【図３】複数の複合ソケットを並べた状態の側面図である。
【図４】その複合ソケットを取付けた照明器具の端面図である。
【図５】その破断側面図である。
【図６】第２の実施の形態における回転式のランプソケットを示し、（ａ）は正面図、（ｂ）は右側面図、（ｃ）は平面図、（ｄ）は背面図である。
【図７】そのランプソケットを取付けた照明器具の端面図である。
【図８】その破断側面図である。
【図９】複数のランプソケットを並べた状態の側面図である。
【図１０】第３の実施の形態におけるプランジャ型の複合ソケットを示し、（ａ）は正面図、（ｂ）は右側面図、（ｃ）は平面図である。
【図１１】その背面図である。
【図１２】複数の複合ソケットを並べた状態の側面図である。
【図１３】その複合ソケットを取付けた照明器具の端面図である。
【図１４】その破断側面図である。
【図１５】第４の実施の形態におけるプランジャ型のランプソケットを示し、（ａ）は正面図、（ｂ）は右側面図、（ｃ）は平面図、（ｄ）は背面図である。
【図１６】複数のランプソケットを並べた状態の側面図であり、（ａ）は本実施の形態、（ｂ）は従来例を示す。
【図１７】従来例におけるプランジャ型の複合ソケットを示し、（ａ）は正面図、（ｂ）は右側面図、（ｃ）は平面図である。
【図１８】その背面図である。
【図１９】複数の複合ソケットを並べた状態の側面図である。
【図２０】その複合ソケットを取付けた照明器具の端面図である。
【図２１】その破断側面図である。
【図２２】別の従来例のプランジャ型の１灯用のランプソケットを示し、（ａ）は正面図、（ｂ）は右側面図、（ｃ）は平面図、（ｄ）背面図である。
【符号の説明】
１ ソケット本体
２ 器具本体
３ 受金部
４ 端子部
５ スリット部
８ 電線接続部
９ 前面段差部
１０ 後面段差部
１１ 端面
【図１】
0003919143.tif 000002
【図２】
0003919143.tif 000003
【図３】
0003919143.tif 000004
【図４】
0003919143.tif 000005
【図５】
0003919143.tif 000006
【図６】
0003919143.tif 000007
【図７】
0003919143.tif 000008
【図８】
0003919143.tif 000009
【図９】
0003919143.tif 000010
【図１０】
0003919143.tif 000011
【図１１】
0003919143.tif 000012
【図１２】
0003919143.tif 000013
【図１３】
0003919143.tif 000014
【図１４】
0003919143.tif 000015
【図１５】
0003919143.tif 000016
【図１６】
0003919143.tif 000017
【図１７】
0003919143.tif 000018
【図１８】
0003919143.tif 000019
【図１９】
0003919143.tif 000020
【図２０】
0003919143.tif 000021
【図２１】
0003919143.tif 000022
【図２２】
0003919143.tif 000023